(57)【要約】【課題】  容易で効率的に端子板サブモジュール又は保安器サブモジュール等に設けられたスリットハウジングの取り外しを実現する。【解決手段】  内部にスリット端子が配置されるスリットハウジングと、前記スリットハウジングと係合されるフレームとにより、二枚のプリント配線板が挟持される端子板サブモジュール又は保安器サブモジュールからスリットハウジングを取り外すための取り外し治具であって、前記サブモジュールを両側から挟持する挟持手段と、前記スリットハウジングと前記フレームとの係合を解除するための係合解除手段と、前記スリットハウジングを把持してサブモジュール本体から取り外すための取外手段とを有することにより上記課題を解決する。【選択図】  図３
2006086078.tif 000002
【特許請求の範囲】
【請求項１】
内部にスリット端子が配置されるスリットハウジングと、前記スリットハウジングと係合されるフレームとにより、二枚のプリント配線板が挟持される端子板サブモジュール又は保安器サブモジュールからスリットハウジングを取り外すための取り外し治具であって、
前記サブモジュールを両側から挟持する挟持手段と、
前記スリットハウジングと前記フレームとの係合を解除するための係合解除手段と、
前記スリットハウジングを把持してサブモジュール本体から取り外すための取外手段とを有することを特徴とする取り外し治具。
【請求項２】
前記挟持手段は、
前記サブモジュールを両端から挟持するサブモジュール挟持部を有し、前記サブモジュール挟持部はシリンダにより移動可能であることを特徴とする請求項１に記載の取り外し治具。
【請求項３】
前記係合解除手段は、
係合爪が形成された回動可能な係合解除アームを有し、前記係合解除アームはシリンダにより回動可能であることを特徴とする請求項１又は２に記載の取り外し治具。
【請求項４】
前記取外手段は、
前記スリットハウジングを把持する一対の把持アームを有し、前記把持アームは弾性体及びアームガイドにより所定範囲での開閉を行い、シリンダにより移動可能であることを特徴とする請求項１乃至３の何れか１項に記載の取り外し治具。
【発明の詳細な説明】
【技術分野】
【０００１】
本発明は、取り外し治具に係り、特に、容易で効率的に端子板サブモジュール又は保安器サブモジュール等に設けられたスリットハウジングの取り外しを実現するための取り外し治具に関する。
【背景技術】
【０００２】
従来、電話やコンピュータ等、通信機能を有する機器間の通信回線（電線）を中継、又は分岐するための機器として端子板が用いられている。特に、電話局等においては、膨大な数の回線や端子を管理する必要があるため、加入者ケーブルを交換機に直接接続せずに、所定の地域や建物毎に設けられた端子板に収容して管理している。
【０００３】
更に、交換機と端子板の間には雷等による過電流や過電圧を遮断して交換機や通信機器等を保護するための保安器が設けられている。保安器は、回線を断線させたり、信号の取り出しを行うための断器機能と、雷等による過電流や過電圧を遮断する保安素子を設けた構成となっている（例えば、特許文献１参照。）。
【０００４】
ところで、近年では省資源化や環境保全等の気運の高まりに伴い、製品のリサイクル（再利用）による長寿命化の要請が年々高まる傾向になる。この傾向は、上述した端子板や保安器においても同様である。
【０００５】
また、端子板や保安器を構成するサブモジュール（端子板サブモジュール、保安器サブモジュール）等においては、作業員等の通信線の結線作業等による負荷や使用年数等により、入回線接続用端子として用いられるスリット端子（Ｕスリット、Ｗ−Ｕスリット等）が内部に配置されたスリットハウジングが部分的に破損や傷が付くこと等、性能の劣化が生じる。ここで、具体的に説明すると、スリットハウジングは、基板に接続された並列したスリット端子を保護するためのものであり、スリット端子の溝部に通信線が電気的に導通した状態にすることで結線が行われる。結線作業は、結線工具等を用いて行われることが多く、その場合には通信線をスリット端子に圧入するため、結線工具によりスリットハウジングに押力が加わり、その影響で破損する場合がある。
【０００６】
そこで、従来では、端子板サブモジュールや保安器サブモジュールをリサイクルすべく、専用の装置を用いて破損したスリットハウジング等の部品を部分的に取り外し、新たな部品と交換をして、弾器試験等を行った後、再利用（リサイクル）を実現している。
【０００７】
ここで、従来において作業員等が端子板サブモジュールや保安器サブモジュールからスリットハウジングを取り外すための作業例について、図を用いて説明する。
【０００８】
図１は、従来におけるスリットハウジングの取り外し作業例を説明するための一例の図である。ここで、図１は、一例として端子板サブモジュール１０におけるＵスリットハウジング１１を交換するための取り外し例を示している。なお、Ｕスリットハウジング１１は、両サイドのフレーム１２−１〜１２−２と係合されているため、容易に取り外すことはできない構成となっている。
【０００９】
図１において、Ｕスリットハウジング１１を端子板サブモジュール１０から取り外す場合、まず端子板サブモジュール１０を両側から固定する２枚のモジュール固定板１３−１，１３−２により端子板サブモジュール１０を固定する。
【００１０】
次に、Ｕスリットハウジング１１の両側に設けられているフランジ部１４をフレーム１２−１，１２−２に設けられている爪部から引き離し係合を解除するため、薄板１５−１，１５−２をフランジ部１４と爪部との間に挿入する。
【００１１】
更に、Ｕスリットハウジング１１に設けられているスリット端子に対応して設けられた溝部に嵌めこむための突部１６が櫛状に形成された取外部１７を用いて、Ｕスリットハウジング１１の取り外しを行う。具体的には、上下動可能な取外部１７を下に移動させて突部１６をＵスリットハウジング１１の溝部に嵌め込み、その状態で取外部１７を上に引き上げることで、Ｕスリットハウジング１１のみを端子板サブモジュール１０から取り外すことができる。これにより、新たなＵスリットハウジングと交換して端子板サブモジュール１０の再利用（リサイクル）を行う。
【００１２】
ここで、図２は、スリットハウジングが取り外された状態を示す一例の図である。なお、図２では、係合が解除されている状態が容易に把握できるようＵスリットハウジング１１とフレーム１２−２のみを示している。図２に示すように、薄板１５を挿入することにより、フランジ部１４が開き、フレーム１２−２に設けられる爪部２１との係合を解除することで、取外部１７を用いてＵスリットハウジング１１を端子板サブモジュール１０から取り外すことができる。
【特許文献１】特開２００３−２１９４３７号公報
【発明の開示】
【発明が解決しようとする課題】
【００１３】
しかしながら、上述した従来の手法は人手での作業が多く、また作業が繁雑であるため、取り外し作業に時間がかかってしまっていた。また、Ｕスリットの取り外し作業中にモジュールの他の構成部分に傷等が付かないように細心の注意と技術が必要となっていた。
【００１４】
本発明は、上述した問題点に鑑みなされたものであり、特別技術を持たない作業者でも容易に交換の必要なスリットハウジングの取り外しができる取り外し治具を提供することを特徴とする。
【課題を解決するための手段】
【００１５】
上記課題を解決するために、本件発明は、以下の特徴を有する課題を解決するための手段を採用している。
【００１６】
請求項１に記載された発明は、内部にスリット端子が配置されるスリットハウジングと、前記スリットハウジングと係合されるフレームとにより、二枚のプリント配線板が挟持される端子板サブモジュール又は保安器サブモジュールからスリットハウジングを取り外すための取り外し治具であって、前記サブモジュールを両側から挟持する挟持手段と、前記スリットハウジングと前記フレームとの係合を解除するための係合解除手段と、前記スリットハウジングを把持してサブモジュール本体から取り外すための取外手段とを有することを特徴とする。
【００１７】
請求項１記載の発明によれば、特別技術を持たない作業者でも容易に交換の必要なスリットハウジングの取り外し作業ができる。また、スリットハウジングの交換を迅速に行うことができるため、作業工数の削減によりコストダウンができ、更に品質を落とすことなく、再利用が可能となる。
【００１８】
請求項２に記載された発明は、前記挟持手段は、前記サブモジュールを両端から挟持するサブモジュール挟持部を有し、前記サブモジュール挟持部はシリンダにより移動可能であることを特徴とする。
【００１９】
請求項２記載の発明によれば、シリンダによりサブモジュールを容易で確実に固定することができる。
【００２０】
請求項３に記載された発明は、前記係合解除手段は、係合爪が形成された回動可能な係合解除アームを有し、前記係合解除アームはシリンダにより回動可能であることを特徴とする。
【００２１】
請求項３記載の発明によれば、シリンダにより係合解除アームを回動させることで、スリットハウジングとフレームとの係合を容易で正確に解除することができる。
【００２２】
請求項４に記載された発明は、前記取外手段は、前記スリットハウジングを把持する一対の把持アームを有し、前記把持アームは弾性体及びアームガイドにより所定範囲での開閉を行い、シリンダにより移動可能であることを特徴とする。
【００２３】
請求項４記載の発明によれば、シリンダにより把持アームを用いて容易で迅速にスリットハウジングを把持し取り外すことができる。
【発明の効果】
【００２４】
本発明によれば、特別技術を持たない作業者でも容易に交換の必要なスリットハウジングの取り外し作業ができる。また、スリットハウジングの交換を迅速に行うことができるため、作業工数の削減によりコストダウンができ、更に品質を落とすことなく、再利用が可能となる。
【発明を実施するための最良の形態】
【００２５】
次に、本発明における実施の形態について図を用いて説明する。図３は、本発明における取り外し治具の一例を示す図である。図３に示す取り外し治具３０は、端子板サブモジュール又は保安器サブモジュールから特にスリットハウジングを取り外す例を示している。
【００２６】
図３に示す本発明の取り外し治具３０は、台座３１と、端子板サブモジュール又は保安器サブモジュールを固定するための固定板３２と、サブモジュールを位置決めする位置決め固定台３３−１，３３−２と、サブモジュールを両側から挟持する挟持手段３４−１，３４−２と、サブモジュールの両側にあるスリットハウジングとフレームとの係合を解除するための係合解除手段３５−１，３５−２と、スリットハウジング等の部品を把持してサブモジュール本体から取り外すための取外手段３６とを有するよう構成されている。
【００２７】
ここで、図３では、サブモジュールを位置決めする位置決め固定台３３が２個設けてあるが、本発明においての個数及び形状についてはこの限りではなく、また、多種のサブモジュールを固定するために移動可能であるものとする。
【００２８】
また、挟持手段３４は、サブモジュールを挟持するサブモジュール挟持部４１と、サブモジュール挟持部４１を移動させるためのシリンダ４２とを有するよう構成されている。また、係合解除手段３５は、係合解除アーム４３と、係合解除アーム４３の片側を台座３１に軸固定する軸固定部４４と、上述したフランジ部に係合するための係合爪４５と、係合解除アーム４３が軸固定部４４を軸として回動可能にさせるシリンダ４６とを有するよう構成されている。更に、取外手段３６は、スリットハウジング等の取り外す部品を把持するための一対の把持アーム４７と、把持アーム４７を上下動可能にさせるシリンダ４８とを有するよう構成されている。なお、台座３１には、把持アーム４７をガイドするアームガイド４９が設置されている。なお、アームガイド４９を用いた把持アーム４７におけるスリットハウジングの取り出し手順については後述する。
【００２９】
次に、図３に示した取り外し治具３０にサブモジュールを設置して実際の取り外し作業を行う場合の作業例について説明する。図４は、本発明における取り外し治具を用いた取り外し例について説明するための一例の図である。
【００３０】
なお、図４に示すように、サブモジュール５０は、保安素子を有する保安器サブモジュールを用いているが、本発明においては、端子板サブモジュールでもよく、またその形状、端子数等も限定されるものではない。
【００３１】
まず、サブモジュール５０を位置決め固定台３３−１，３３−２に合せてセットする。次に、シリンダ４２によりサブモジュール挟持部４１を移動させ、サブモジュール５０を挟持させる。なお、サブモジュール挟持部４１は、サブモジュール５０と接触し押圧してもサブモジュール５０に傷が付くことがないような素材を用いている。その後、シリンダ４６により係合解除アーム４６が軸固定部４６を軸としてサブモジュール５０方向に回動し、係合爪４５をスリットハウジング５１のフランジ部５２に係合させる。係合後、シリンダ４６は、係合解除アーム４６を引っ張ることで、係合解除アーム４６を逆方向に回動させ、フランジ部５２とフレーム５３に設けられている爪部との係合を解除する。
【００３２】
そして、設置されたサブモジュール５０のスリットハウジング５１よりも予め下方に移動していた把持アーム４７をシリンダ４８により上方に移動させることにより、把持アーム４７がスリットハウジング５１を把持して上方に引き抜くことにより、スリットハウジング５１をサブモジュール５０から取り外すことができる。
【００３３】
ここで、取外手段３６におけるスリットハウジング５１の取り出しの具体例について、図を用いて説明する。図５は、取外手段におけるスリットハウジング取り出し例を具体的に示す図である。ここで、スリットハウジング５１の取り出し動作は、図５（ａ）〜図５（ｃ）の順に行われる。なお、図５では、取外手段３６における動作を説明するため、他の構成部分は簡略した図となっている。
【００３４】
まず、図５（ａ）では、台座３２の固定板に固定されたサブモジュール５０のスリットハウジング５１よりも下方に把持アーム４７の先端部６０が位置付けられるように、予めシリンダ４８により把持アーム４７が移動されている。このとき、一対の把持アーム４７−１，４７−２の間には弾性体としてのバネ６１を有している。
【００３５】
バネ６１は、把持アーム４７−１と４７−２とが開くよう弾性力が働いている。そのため、把持アーム４７−１と４７−２をアームガイド４９と接触・固定させることにより把持アーム４７−１，４７−２が所定の位置で位置決めされる。また、把持アーム４７−１，４７−２の側面に傾斜を持たせておくことにより、把持アーム４７の所定範囲の開閉を可能にしている。なお、本発明において、アームガイド４９の形状は特に限定されないが、例えば、アームガイド４９に開口部を設け、その開口部内に把持アーム４７を挿入するよう構成することができる。上述したように把持アーム４７−１の傾斜により、所定の位置で開いた状態で位置決めされる。
【００３６】
つまり、図５（ａ）では、上述した状態で、サブモジュール５０がセットされた図を示している。次に、図５（ｂ）に示すように、シリンダ４８により把持アーム４７を上方に移動させると、把持アーム４７−１の側面の傾斜とアームガイド４９とにより、把持アーム４７が閉じ、把持アーム４７−１，４７−２の先端部６０がスリットハウジング５１を把持する。つまり、把持アーム４７の側面に設けられる傾斜は、把持アーム４７が開いた状態からスリットハウジング５１を把持可能となる状態まで閉じることができる範囲までの傾斜となる。
【００３７】
その後、図５（ｃ）に示すように、シリンダ４８により把持アーム４７を更に上方に移動させることで、スリットハウジング５１をサブモジュール５０から引き抜き、取り外すことができる。
【００３８】
なお、取り外し治具３０における把持手段３４，係合解除手段３５、及び取外手段３６における上述した一連の取り外し動作を制御する制御手段を有することで、端子板サブモジュール又は保安器サブモジュールの部品交換作業が大量にある場合でも迅速で容易、かつ正確に取り外し作業及び交換作業を実現することができる。
【００３９】
上述したように、取り外し治具３０を用いることにより、特別技術を持たない作業者でも容易に交換の必要なスリットハウジング等の部品の取り外し作業ができる。また、スリットハウジング等の部品の交換を迅速に行うことができるため、作業工数の削減によりコストダウンができ、更に品質を落とすことなく、再利用が可能となる。
【００４０】
上述したように本発明によれば、特別技術を持たない作業者でも容易に交換の必要なスリットハウジングの取り外し作業ができる。また、スリットハウジングの交換を迅速に行うことができるため、作業工数の削減によりコストダウンができ、更に品質を落とすことなく、再利用が可能となる。
【００４１】
以上、本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【００４２】
【図１】従来におけるスリットハウジングの取り外し作業例を説明するための一例の図である。
【図２】スリットハウジングが取り外された状態を示す一例の図である。
【図３】本発明における取り外し治具の一例を示す図である。
【図４】本発明における取り外し治具を用いた取り外し例について説明するための一例の図である。
【図５】取外手段におけるスリットハウジング取り出し例を具体的に示す図である。
【符号の説明】
【００４３】
１０  端子板サブモジュール
１１  Ｕスリットハウジング
１２，５３  フレーム
１３  モジュール固定板
１４，５２  フランジ部
１５  薄板
１６  突部
１７  取外部
２１  爪部
３０  取り外し治具
３１  台座
３２  固定板
３３  位置決め固定台
３４  挟持手段
３５  係合解除手段
３６  取外手段
４１  サブモジュール挟持部
４２，４６，４８  シリンダ
４３  係合解除アーム
４４  軸固定部
４５  係合爪
４７  把持アーム
４９  アームガイド
５０  サブモジュール
５１  スリットハウジング
６０  先端部
６１  バネ
【図１】
2006086078.tif 000003
【図２】
2006086078.tif 000004
【図３】
2006086078.tif 000005
【図４】
2006086078.tif 000006
【図５】
2006086078.tif 000007
【手続補正書】
【提出日】平成16年10月8日(2004.10.8)
【手続補正１】
【補正対象書類名】特許請求の範囲
【補正対象項目名】全文
【補正方法】変更
【補正の内容】
【特許請求の範囲】
【請求項１】
内部にスリット端子が配置されるスリットハウジングと、前記スリットハウジングと係合されるフレームとにより、二枚のプリント配線板が挟持される端子板サブモジュール又は保安器サブモジュールからスリットハウジングを取り外すための取り外し治具であって、
前記サブモジュールを両側から挟持する挟持手段と、
前記スリットハウジングと前記フレームとの係合を解除するための係合解除手段と、
前記スリットハウジングを把持してサブモジュール本体から取り外すための取外手段とを有することを特徴とする取り外し治具。
【請求項２】
前記挟持手段は、
前記サブモジュールを両端から挟持するサブモジュール挟持部を有し、前記サブモジュール挟持部はシリンダにより移動可能であることを特徴とする請求項１に記載の取り外し治具。
【請求項３】
前記係合解除手段は、
係合爪が形成された回動可能な係合解除アームを有し、前記係合解除アームはシリンダにより回動可能であることを特徴とする請求項１又は２に記載の取り外し治具。
【請求項４】
前記取外手段は、
前記スリットハウジングを把持する一対の把持アームを有し、前記把持アームは弾性体及びアームガイドにより所定範囲での開閉を行い、シリンダにより移動可能であることを特徴とする請求項１乃至３の何れか１項に記載の取り外し治具。
【請求項５】
内部にスリット端子が配置されるスリットハウジングと、前記スリットハウジングと係合されるフレームとにより、二枚のプリント配線板が挟持される端子板サブモジュール又は保安器サブモジュールから、スリットハウジングを取り外し治具を用いて取り外すための取り外し方法であって、
前記サブモジュールを前記取り外し治具の挟持手段により挟持する挟持ステップと、
前記スリットハウジングと前記フレームとの係合を前記取り外し治具の係合解除手段により解除するための係合解除ステップと、
前記スリットハウジングを前記取り外し治具の取外手段により把持してサブモジュール本体から取り外すための取外ステップとを有することを特徴とする取り外し方法。
【手続補正３】
【補正対象書類名】明細書
【補正対象項目名】０００１
【補正方法】変更
【補正の内容】
【０００１】
本発明は、取り外し治具及び取り外し治具を用いた取り外し方法に係り、特に、容易で効率的に端子板サブモジュール又は保安器サブモジュール等に設けられたスリットハウジングの取り外しを実現するための取り外し治具及び取り外し治具を用いた取り外し方法に関する。
【手続補正４】
【補正対象書類名】明細書
【補正対象項目名】００１４
【補正方法】変更
【補正の内容】
【００１４】
本発明は、上述した問題点に鑑みなされたものであり、特別技術を持たない作業者でも容易に交換の必要なスリットハウジングの取り外しができる取り外し治具及び取り外し治具を用いた取り外し方法を提供することを特徴とする。
【手続補正５】
【補正対象書類名】明細書
【補正対象項目名】００２３
【補正方法】変更
【補正の内容】
【００２３】
請求項４記載の発明によれば、シリンダにより把持アームを用いて容易で迅速にスリットハウジングを把持し取り外すことができる。
請求項５に記載された発明は、内部にスリット端子が配置されるスリットハウジングと、前記スリットハウジングと係合されるフレームとにより、二枚のプリント配線板が挟持される端子板サブモジュール又は保安器サブモジュールから、スリットハウジングを取り外し治具を用いて取り外すための取り外し方法であって、前記サブモジュールを前記取り外し治具の挟持手段により挟持する挟持ステップと、前記スリットハウジングと前記フレームとの係合を前記取り外し治具の係合解除手段により解除するための係合解除ステップと、前記スリットハウジングを前記取り外し治具の取外手段により把持してサブモジュール本体から取り外すための取外ステップとを有することを特徴とする。
請求項５記載の発明によれば、特別技術を持たない作業者でも容易に交換の必要なスリットハウジングの取り外し作業ができる。また、スリットハウジングの交換を迅速に行うことができるため、作業工数の削減によりコストダウンができ、更に品質を落とすことなく、再利用が可能となる。